(57)【要約】      （修正有）【課題】汚れず、洗う手間がかからない三角コーナーの提供。【解決手段】シンクの中に容器の三角コーナーを置かずに、その代わりをするもの。三角コーナーの底面を外した三角形の筒状コーナーで、直角を挟む２つの側面１の下部に吸盤や磁石などを台２を使用して取り付け、シンクの上部に固定する。【効果】ゴミを少しの間そのままにしておく場合、蓋をすることができ、水切りフィルターを簡単に交換でき、容器ではないので洗う手間がない。【選択図】図１
2011068416.tif 000002
【特許請求の範囲】
【請求項１】
三角形の底面と３つの側面からなる従来の三角コーナーの底面を外した形である。
三角形の蓋をすることが可能となる３つの側面で作る三角コーナーで、直角を挟む２つの側面の下部に、吸盤や磁石などを付ける台を取り付け、シンクの上部の角に固定すること。
【発明の詳細な説明】
【技術分野】
【０００１】  従来からある三角コーナーは、シンクの中の角に置くように、三角形の底面と３つの側面からなる容器になっていますが、この汚れない三角コーナーは、従来の三角コーナーの三角形の底面を外した形の３つの側面だけのものである。
市販の水切りフィルターを容器の代わりに、側面にかぶせ、吊るした状態で使うものです。
蓋をするために、側面を３つ使いました。
底面がなく、フィルターを側面にひっかけて、吊るした状態で使いますので、ゴミが重くなり、フィルターがずり落ちるのを防ぐために、３箇所の角の側面と台の境目に切り込みを入れるなどや、洗濯はさみなどで止めます。
又、この三角コーナー専用のフィルターを作らなくても、市販の水きりフィルターを使う事が可能である。
流し台のシンクの上部の角に、固定する目的の為、直角を挟む２つの側面の下部に、吸盤や磁石をつけるための台を取り付けます。
【背景技術】
【０００２】  従来からある網目の三角コーナーは、容器である為、汚れやすく洗う手間がかかり、シンクの中に置くと、場所をとります。
【発明が解決しようとする課題】
【０００３】  従来の三角コーナーは、容器になっている為、汚れやすく、洗う手間がかかる。
シンクの中に、置かないようにする。
又、ゴミを入れたまま放置しておく場合、蓋が出来れば良い。
【課題を解決するための手段】
【０００４】  従来の三角コーナーの三角形の底面を外し、水切りフィルターをその代わりにした事で、容器ではなくなり、洗う手間がかからない。
３つの側面がある事で、三角形の蓋をすることが可能である。
シンクの中に置かずに、シンクの上部の角に固定させ、側面だけの三角コーナーに水切りフィルターをかぶせ、吊るした状態にする。
ゴミが重くなり、フィルターがずり落ちない様に３箇所の角の側面と台との境目に切り込みを入れるなどや、洗濯はさみなどで止める。
【発明を実施するための形態】
【０００５】  従来の三角コーナーの三角形の底面を外した形の、３つの側面をプラスチックや金属で作り、又同じ材質で、シンクの上部の角に固定する為に、直角を挟む２つの側面の下部に、磁石や吸盤をつけるための台を取り付ける。
そして、蓋も作る。
【発明の効果】
【０００６】  シンクの上部の角に合わせて固定しますので、シンクの中がすっきりする。
３つの側面で作るこの三角コーナーは、水切りフィルターが容器の代わりとなり汚れない。
フィルターも簡単に交換出き、ゴミを少しそのままで置く場合は、蓋ができます。
又、市販の水切りフィルターを使うことができる。
【図面の簡単な説明】
【図１】  ３つの側面（１）のうち、直角を挟む２つの側面に、固定する為に吸盤や磁石などをつける台（２）をとりつけた三角コーナーの前方図
【図２】  ３つの側面（１）のうち、直角を挟む２つの側面に、固定する為に吸盤や磁石などを付ける台（２）を取り付けた三角コーナーの後方図
【図３】  蓋の前方図
【図４】  蓋の後方図
【図１】
2011068416.tif 000003
【図２】
2011068416.tif 000004
【図３】
2011068416.tif 000005
【図４】
2011068416.tif 000006
【手続補正書】
【提出日】平成21年10月1日(2009.10.1)
【手続補正１】
【補正対象書類名】特許請求の範囲
【補正対象項目名】請求項１
【補正方法】変更
【補正の内容】
【請求項１】
金属の板状や丸棒などやプラスチック等で作る直角を挟む２つの側面だけの三角コーナーに、必要に応じて蓋が出来るように、蓋を支える面を加える工夫を施して作るものであって、これらを色々な方法によって、シンクの上部の角に固定する事。
【手続補正２】
【補正対象書類名】明細書
【補正対象項目名】全文
【補正方法】変更
【補正の内容】
【発明の詳細な説明】
【０００１】  従来からある三角コーナーは、シンクの中に置くように、三角形の底面と３つの側面からなる容器になっていますが、この汚れない三角コーナーは、必要に応じて蓋も出来るように、従来の三角コーナーの三角形の底面と１つ側面を外した直角を挟む２つの側面に、蓋の支えとなる面を加える工夫を施したものである。
市販の水切りフィルターを容器の代わりに、側面にかぶせ、吊るした状態で使うものです。
フィルターがずり落ちない為に、３箇所の角の側面と台の境目に切り込みを入れるなどや、洗濯はさみなどで止めることも可能です。
流し台のシンクの上部の角に固定する目的の為、直角を挟む２つの側面の下部に、吸盤や磁石を付けるための台を取り付けます。
【背景技術】
【０００２】  従来からある三角コーナーは容器である為、特に網目の物などは、汚れやすく洗う手間がかかり、シンクの中に置くと場所を取ります。
【発明が解決しようとする課題】
【０００３】  従来の三角コーナーは容器になっている為、汚れやすく洗う手間がかかる。
シンクの中を広く使う。
又、虫が入らないように蓋が出来れば良い。
【課題を解決するための手段】
【０００４】  従来の三角コーナーの底面を外し、水切りフィルターをその代わりにした事で、容器ではなくなり、洗う手間がかからない。
シンクの上部の角に固定させ、側面だけの三角コーナーに、水切りフィルターをかぶせ、吊るした状態で使う事によって、シンクの中は広く使える。
必要に応じて蓋が出来るように、直角を挟む２つの側面の三角コーナーに蓋を支える面を加えるなどの工夫を施した。
【発明の実地の形態】
【０００５】  必要に応じて蓋が出来るように、従来の三角コーナーの三角形の底面と１つの側面を外した形の直角を挟む２つの側面に、蓋を支える面等を加える工夫を施した形の物を金属の板状や丸棒などやプラスチック等で作り、又、同じ材質で、シンクの上部の角に固定する為に、直角を挟む２つの側面の下部に磁石や吸盤を付ける台を取り付ける。
３箇所の角の側面と台の境目に、切り込みなどを入れる。
そして、必要に応じて蓋も作る。
【発明の効果】
【０００６】  シンクの上部の角に固定しますので、シンクの中がすっきりする。
側面で出来ているこの三角コーナーは、水切りフィルターが容器の代わりとなり汚れない。
フィルターも簡単に交換でき、入り口も広くてゴミも入れ易く、虫が気になる場合、蓋が出来る。
また、市販の安価な水切りフィルターを使う事が出来る。
【図面の簡単な説明】
【図１】  直角を挟む２つの側面（１）に蓋の支えとなる側面（２）を上部に加え、直角を挟む２つの側面の下部に、固定する為の磁石や吸盤を付ける台（３）を取り付けた三角コーナーの前方図
【図２】  直角を挟む２つの側面（１）に蓋の支えとなる側面（２）を上部に加え、直角を挟む２つの側面の下部に、固定する為の磁石や吸盤を付ける台（３）を取り付けた三角コーナーの後方図
【図３】  直角を挟む２つの側面（１）に蓋の支えとなる側面（２）を加え、直角を挟む２つの側面の下部に、固定するための磁石や吸盤をつける台（３）を取り付けた三角コーナーの前方図
【図４】  直角を挟む２つの側面（１）に両サイドから蓋の支えとなる側面（２）を加え、直角を挟む２つの側面の下部に、固定する為の磁石や吸盤を付ける台（３）を取り付けた三角コーナーの前方図
【図５】  直角を挟む２つの側面（１）に上部の両サイドから蓋の支えとなる側面（２）を加え、直角を挟む２つの側面の下部に、固定する為の磁石や吸盤をつける台（３）を取り付けた三角コーナーの前方図
【図６】  金属の丸棒で直角を挟む２つの側面（１）を作り、蓋の支えとなる丸棒（２）を加え、直角を挟む２つの側面の下部に、固定する為の磁石や吸盤をつける台（３）を取り付けた三角コーナーの前方図
【図７】  金属の丸棒で直角を挟む２つの側面（１）を作り、両サイドから蓋の支えとなる丸棒（２）を加え、直角を挟む２つの側面の下部に磁石や吸盤を付ける台（３）を取り付けた三角コーナーの前方図
【図８】  取っ手（５）の付いた蓋である。
【手続補正３】
【補正対象書類名】図面
【補正対象項目名】全図
【補正方法】変更
【補正の内容】
【図１】
2011068416.tif 000007
【図２】
2011068416.tif 000008
【図３】
2011068416.tif 000009
【図４】
2011068416.tif 000010
【図５】
2011068416.tif 000011
【図６】
2011068416.tif 000012
【図７】
2011068416.tif 000013
【図８】
2011068416.tif 000014